(57)【要約】【課題】この発明はベッドフレームに起伏駆動される可動床板を有する床板ユニットを係合載置するだけであっても、ずれ動くのを防止できるリクライニング式ベッド装置を提供することにある。【解決手段】受け桟６が設けられたベッドフレーム１と、受け桟に係合載置される２つの床板ユニット７とを備え、一方の床板ユニットは、受け桟に係合する係合部材１２を有するユニットフレームと、ユニットフレームの幅方向と交差する方向の一端部に基端が回動可能に設けられた可動床板３１と、ユニットフレームに設けられ可動床板を起伏駆動する駆動機構２４とを具備し、他方の床板ユニットは、一対の受け部に幅方向両端部を係合させて載置される固定床板を有し、固定床板は一端部がユニットフレームの一端部に重合してこのユニットフレームが受け桟から浮き上るのを防止するよう、他端部がベッドフレームに保持具によって保持される。【選択図】      図１
2005192736.tif 000002
【特許請求の範囲】
【請求項１】
幅方向の対向する一対の内面にそれぞれ受け部が設けられたベッドフレームと、
上記受け部に係合載置されるとともに上面がマットレスの載置面となった２つの床板ユニットとを備え、
一方の床板ユニットは、幅方向両側に上記一対の受け部に係合する係合部を有するユニットフレームと、このユニットフレームの上記幅方向と交差する方向の一端部に基端が回動可能に設けられた可動床板と、上記ユニットフレームに設けられ上記可動床板を起伏駆動する駆動機構とを具備し、
他方の床板ユニットは、上記一対の受け部に幅方向両端部を係合させて載置される固定床板を有し、この固定床板は一端部が上記ユニットフレームの一端部に重合してこのユニットフレームが上記受け部から浮き上るのを防止するよう、他端部が上記ベッドフレームに保持具によって保持されることを特徴とするリクライニング式ベッド装置。
【請求項２】
一方の床板ユニットは、上記ユニットフレームの上記一端部に基端が回動可能に設けられた回転軸と、この回転軸の両端部に一端を固定して設けられた保持溝を有する一対の保持部材とを有し、
上記可動床部は、上記一対の保持部材の保持溝に幅方向両端部をスライド可能に係合させて設けられていることを特徴とする請求項１記載のリクライニング式ベッド装置。
【請求項３】
幅方向の対向する一対の内面にそれぞれ受け部が設けられたベッドフレームと、
上記受け部に係合載置されるとともに上面がマットレスの載置面となった２つの床板ユニットとを備え、
一方の床板ユニットは、幅方向両側に上記一対の受け部に係合する一対の係合部を有するユニットフレームと、このユニットフレームの上記幅方向と交差する方向の一端部に基端が回動可能に設けられた回転軸と、この回転軸の両端部に一端を固定して設けられた保持溝を有する一対の保持部材と、一対の保持部材の保持溝に幅方向両端部をスライド可能に係合させて設けられた可動床板と、上記ユニットフレームに設けられ上記回転軸を介して上記可動床板を起伏駆動する駆動機構とを具備したことを特徴とするリクライニング式ベッド装置。
【請求項４】
上記ユニットフレームの一対の係合部の一端部には、第１の軸受孔が形成された第１の軸受部材が設けられ、上記回転軸の両端部には第２の軸受孔が形成された第２の軸受部材が設けられていて、
上記回転軸は上記第１の軸受孔から第２の軸受孔に挿通された支軸によって上記ユニットフレームに回転可能に連結され、上記支軸は上記ユニットフレームを上記ベッドフレームに載置した状態で、上記ベッドフレームの対向する上記一対の内面によって上記第１、第２の軸受孔から抜出するのが阻止される構成であることを特徴とする請求項２記載のリクライニング式ベッド装置。
【請求項５】
幅方向の対向する一対の内面にそれぞれ受け部が設けられたベッドフレームと、
上記受け部に係合載置されるとともに上面がマットレスの載置面となった２つの床板ユニットとを備え、
一方の床板ユニットは、幅方向両側に上記一対の受け部に係合する係合部を有するユニットフレームと、このユニットフレームの上記幅方向と交差する方向の一端部に基端が回動可能に設けられた可動床板と、上記ユニットフレームに設けられ上記可動床板を起伏駆動する駆動機構とを具備し、
他方の床板ユニットは、上記一対の受け部に幅方向両端部を係合させて載置されるとともに一端部が上記ユニットフレームの一端部に重合し設けられることで、上記ユニットフレームが上記受け部から浮き上るのを防止する固定床板からなることを特徴とするリクライニング式ベッド装置。
【発明の詳細な説明】
【技術分野】
【０００１】
この発明は利用者の上半身を起こすことができるリクライニング式ベッド装置に関する。
【背景技術】
【０００２】
一般に、リクライニング式ベッド装置は矩形枠状のベッドフレームを有し、このベッドフレームには上面にマットレスが載置される床板が設けられる。床板は複数に分割され、そのうちの少なくとも利用者の上半身に対応する部分の床板を駆動機構によって起伏駆動できるようにしている。それによって、マットレス上に仰臥した利用者は上半身を起こし、その姿勢を楽に維持することができる。
【０００３】
ところで、リクライニング式でない、通常のベッド装置を購入した消費者はそのベッド装置をリクライニング式に変更したいことがある。しかしながら、従来ではそのような場合、ベッド装置全体を買い換えなければならないという不都合があった。
【０００４】
そこで、最近では、このようなリクライニング式ベッド装置において、上記床板を複数に分割して複数の床板ユニットとし、その床板ユニットの１つにリクライニング機能を持たせるようにする。そして、消費者は通常のベッド装置をリクライニング式に変更したい場合には、リクライニング機能を備えた床板ユニットを購入し、それを一部の床板と交換してベッドフレームに載置することで、リクライニング式ベッド装置に変更できるようにしている。このような先行技術としては特許文献１に示されたベッド装置が知られている。
【特許文献１】実用新案登録第２５６０３６８号公報
【発明の開示】
【発明が解決しようとする課題】
【０００５】
ところで、特許文献１に示されたリクライニング式ベッド装置は、背上げ機能を備えた床板ユニットを使用する場合には、その床板ユニットをベッドフレームに形成された床板保持部に単に係合載置するだけであった。
【０００６】
そのため、この床板ユニットに設けられた駆動部を作動させて床板を起伏駆動したり、起上した床板に寄り掛るなどすると、床板に加わる利用者の体重によって床板ユニットがベッドフレームから浮き上るなどしてガタ付くということがあるため、床板を起上させた状態での使用状態が安定しないということがあった。
【０００７】
一方、床板を起上させると、この床板上に載置されたマットレスが屈曲することになる。マットレスが屈曲すると、上半身が起こされた利用者には、マットレスの屈曲によって生じる圧縮力が作用する。それによって、利用者にはその圧縮力によって背部を下方に押し下げる力が作用するから、その力によって背部や腹部に圧迫感が生じるということがある。
【０００８】
この発明は、床板が起伏駆動される床板ユニットをベッドフレームに係合載置して使用する場合、その床板ユニットがベッドフレーム上でガタ付くのを簡単な構造で防止できるようにしたリクライニング式ベッド装置を提供することにある。
【０００９】
この発明は、床板ユニットの床板を起上させる場合、床板上のマットレスが屈曲したときに、そのマットレスによって利用者に圧迫感を与えることがないようにしたリクライニング式ベッド装置を提供することにある。
【課題を解決するための手段】
【００１０】
この発明は、幅方向の対向する一対の内面にそれぞれ受け部が設けられたベッドフレームと、
上記受け部に係合載置されるとともに上面がマットレスの載置面となった２つの床板ユニットとを備え、
一方の床板ユニットは、幅方向両側に上記一対の受け部に係合する係合部を有するユニットフレームと、このユニットフレームの上記幅方向と交差する方向の一端部に基端が回動可能に設けられた可動床板と、上記ユニットフレームに設けられ上記可動床板を起伏駆動する駆動機構とを具備し、
他方の床板ユニットは、上記一対の受け部に幅方向両端部を係合させて載置される固定床板を有し、この固定床板は一端部が上記ユニットフレームの一端部に重合してこのユニットフレームが上記受け部から浮き上るのを防止するよう、他端部が上記ベッドフレームに保持具によって保持されることを特徴とするリクライニング式ベッド装置にある。
【００１１】
一方の床板ユニットは、上記ユニットフレームの上記一端部に基端が回動可能に設けられた回転軸と、この回転軸の両端部に一端を固定して設けられた保持溝を有する一対の保持部材とを有し、
上記可動床部は、上記一対の保持部材の保持溝に幅方向両端部をスライド可能に係合させて設けられていることが好ましい。
【００１２】
この発明は、幅方向の対向する一対の内面にそれぞれ受け部が設けられたベッドフレームと、
上記受け部に係合載置されるとともに上面がマットレスの載置面となった２つの床板ユニットとを備え、
一方の床板ユニットは、幅方向両側に上記一対の受け部に係合する一対の係合部を有するユニットフレームと、このユニットフレームの上記幅方向と交差する方向の一端部に基端が回動可能に設けられた回転軸と、この回転軸の両端部に一端を固定して設けられた保持溝を有する一対の保持部材と、一対の保持部材の保持溝に幅方向両端部をスライド可能に係合させて設けられた可動床板と、上記ユニットフレームに設けられ上記回転軸を介して上記可動床板を起伏駆動する駆動機構とを具備したことを特徴とするリクライニング式ベッド装置にある。
【００１３】
上記ユニットフレームの一対の係合部の一端部には、第１の軸受孔が形成された第１の軸受部材が設けられ、上記回転軸の両端部には第２の軸受孔が形成された第２の軸受部材が設けられていて、
上記回転軸は上記第１の軸受孔から第２の軸受孔に挿通された支軸によって上記ユニットフレームに回転可能に連結され、上記支軸は上記ユニットフレームを上記ベッドフレームに載置した状態で、上記ベッドフレームの対向する上記一対の内面によって上記第１、第２の軸受孔から抜出するのが阻止される構成であることが好ましい。
【００１４】
この発明は、幅方向の対向する一対の内面にそれぞれ受け部が設けられたベッドフレームと、
上記受け部に係合載置されるとともに上面がマットレスの載置面となった２つの床板ユニットとを備え、
一方の床板ユニットは、幅方向両側に上記一対の受け部に係合する係合部を有するユニットフレームと、このユニットフレームの上記幅方向と交差する方向の一端部に基端が回動可能に設けられた可動床板と、上記ユニットフレームに設けられ上記可動床板を起伏駆動する駆動機構とを具備し、
他方の床板ユニットは、上記一対の受け部に幅方向両端部を係合させて載置されるとともに一端部が上記ユニットフレームの一端部に重合し設けられることで、上記ユニットフレームが上記受け部から浮き上るのを防止する固定床板からなることを特徴とするリクライニング式ベッド装置にある。
【発明の効果】
【００１５】
この発明によれば、起伏駆動される可動床板を有する一方の床板ユニットの一端部が他方の床板ユニットの固定床板によって保持されるため、上記一方の床板ユニットがベッドフレーム上でガタ付くのを防止することが可能となる。
【００１６】
この発明によれば、一方の床板ユニットの可動床板がスライド可能であるから、可動床板の起上によってマットレスが屈曲されて圧縮力が生じると、上記可動床板がスライドしてその圧縮力を緩和するから、利用者に圧迫感を与えるのを防止することが可能となる。
【発明を実施するための最良の形態】
【００１７】
以下、この発明の実施の形態を図面を参照して説明する。  
図１乃至図５はこの発明の第１の実施の形態を示し、図１に示すこの発明のリクライニング式ベッド装置はベッドフレーム１を備えている。このベッドフレーム１は、所定間隔で平行に離間した一対の側板２の長手方向一端をヘッドボード３の幅方向両端部の内面に連結し、他端を端板４の幅方向の両端部内面に連結して矩形枠状に形成されている。
【００１８】
一対の側板２の内面にはそれぞれ受け部を形成する受け桟６が長手方向全長にわたって設けられている。一対の受け桟６には、図５（ｂ）、（ｃ）に示すように第１の床板ユニット７と同図に鎖線で示す第２の床板ユニットとしての固定床板８とが係合載置されている。
【００１９】
上記第１の床板ユニット７はユニットフレーム１１を有する。このユニットフレーム１１は、図１、図３に示すように係合部を形成するアングル材からなる一対の係合部材１２の長手方向中途部が角パイプからなる連結部材１３によって連結されている。一対の係合部材１２の間隔は、上記一対の受け桟６の間隔とほぼ同じに設定されている。また、係合部材１２はＬ字状に屈曲した側を外側にして上記連結部材１３によって連結されている。
【００２０】
一対の係合部材１２の長手方向一端部の上面には図２と図３に示すように断面円形状の短管１４が固着されている。この短管１４には図２に示すように第１の軸受孔１５が穿設された第１の軸受部材１６が圧入保持されている。
【００２１】
一対の軸受部材１６には回転軸１８が回転可能に支持される。この回転軸１７は円筒状をなしていて、両端部には第２の軸受孔１８が形成された第２の軸受部材１９が圧入固定されている。第２の軸受孔１８は第２の軸受部材１９の一端面だけに開放しており、その開放端を軸方向外方に向けて回転軸１７に圧入されている。
【００２２】
なお、上記第１の軸受部材１６と第２の軸受部材１９はたとえば滑沢性を有する合成樹脂などによって形成されている。  
上記第１の軸受孔１５と上記第２の軸受孔１８とには頭部２１ａ付きの支軸２１が頭部２１ａを第１の軸受部材１６側にして挿入される。それによって、上記回転軸１７は上記支軸２１によって回転可能に支持されている。
【００２３】
図３に示すように、上記連結部材１３の中途部には第１のブラケット２２が固着されている。上記回転軸１７の中途部には第２のブラケット２３が固着されている。第１のブラケット２２には、図１に示すように駆動機構２４を構成する駆動源２５が枢着されている。この駆動源２５には固定筒２６が連結されている。
【００２４】
上記駆動源２５は、詳細は図示しないがモータと減速機とが一体化されていて、上記固定筒２６には上記減速機の回転出力によって軸方向に進退駆動される可動軸２７が設けられている。この可動軸２７の先端は上記回転軸１７に設けられた第２のブラケット２３に枢着されている。それによって、上記駆動機構２４が作動して上記可動軸２７が軸方向に進退駆動されれば、上記回転軸１７が正転方向或いは逆転方向に回転駆動される。
【００２５】
上記回転軸１７の軸方向両端部には、断面コ字状の部材からなる一対の保持部材２８の基端が固着されている。この保持部材２８は一側面が全長にわたって開放し内部を保持溝２９とした断面コ字状をなしていて、開放した側面を対向させて上記回転軸１７の両端部に基端を固着して設けられている。一対の保持部材２８の保持溝２９には可動床板３１が幅方向両端部をスライド可能に係合させて保持されている。  
なお、図１に示すように一対の保持部材２８の長手方向中途部下面は帯板状の連結部材３２によって連結されている。
【００２６】
上記第２の床板ユニットを構成する固定床板８は、幅方向両端部を上記受け桟６に係合させて設けられる。この固定床板８は、図５（ｂ）、（ｃ）に鎖線で示すように、所定の設置位置よりもヘッドボード３側に移動させることで、その一端部を上記第１の床板ユニット７の係合部材１２の一端部上面に重合させ、その状態で端板４の方向へずれ動かないよう他端部の幅方向中央部分が保持具３４によって保持されている。
【００２７】
上記保持具３４は、図４に示すように帯状の板材を鞍型状に曲成した下部板材３５の中間部上面と、Ｌ字状に曲成された上部板材３６の一辺下面とを固着して形成されている。それによって、保持具３４には、上記端板４の上端部に係合する係合部３７と、上記固定床板３３の他端部を挟み込む挟持部３８と、後述するマットレス４０の端部を保持する押え部３９とが形成されている。
【００２８】
したがって、他端部が上記保持具３３によって保持された上記固定床板３３は、一端部が上記係合部材１２の一端部に重合した状態で、ベッドフレーム１の端板４方向にずれ動くのが阻止されている。また、固定床板８は係合部材１２の一端部の上面に設けられた短管１４によってヘッドボード３側へずれ動くのも制限されている。
【００２９】
そして、上記可動床板３１と固定床板８との載置面である上面には図５（ｃ）に鎖線で示すマットレス４０が載置される。このマットレス４０は上記可動床板３１を図５（ｂ）に示すように起上させれば、その起上に応じて屈曲する構成となっている。マットレス４０の端板４側の端部は上記保持具３４の押え部３９に当たる。そのため、可動床板３１を起上させたとき、上記押え部３９によってマットレス４０が端板４側へずれるが阻止される。
【００３０】
このようなベッド装置において、通常は上記第１の床板ユニット７に代わり、固定床板８と同じ大きさの固定床板（図示せず）が設けられる。ベッドフレーム１のヘッドボード３と端板４との間の長さ寸法は、２枚の固定床板の長さ寸法とほぼ同じに設定されている。
【００３１】
しかしながら、第１の床板ユニット７の長さ寸法、つまり可動床板７の長さ寸法は、この可動床板７が起伏駆動されるから、その際にヘッドボード３に当たらないようにするため、固定床板８よりも長さ寸法が短くなっている。したがって、ベッドフレーム１に第１の床板ユニット７及び固定床板８を載置すると、図５（ｃ）に示すように、第１の床板ユニット７とヘッドボード３との間に隙間が生じる。
【００３２】
このような構成によれば、第１の床板ユニット７の可動床板３１を図５（ｃ）に示す倒伏状態から、図５（ｂ）に示すように起上させ、起上した可動床板３１に利用者が寄り掛れば、利用者の荷重が可動床板３１を倒す方向に加わる。そのため、受け桟６に単に係合載置されただけの第１の床板ユニット７は、受け桟６上で一端部が浮き上るなどしてガタ付くということがある。
【００３３】
しかしながら、上記第１の床板ユニット７は、その係合部材１２の一端部に固定床板８の一端部が重合されており、しかもこの固定床部８には利用者の臀部から脚部の部分の荷重が加わる。そのため、第１の床板ユニット７の起上した可動床板３１に利用者が寄り掛っても、その荷重によって第１の床板ユニット７の一端部がベッドフレーム１上で浮き上るなどしてガタ付くのを防止することができる。
【００３４】
しかも、上記第１の床板ユニット７に一端部を重合させた固定床板８は、他端部が保持具３４によって保持されている。そのため、固定床板８はベッドフレーム１上で長手方向に沿ってずれ動くのが阻止されるから、上記固定床部８と係合部材１２との係合状態が確実に維持される。つまり、固定床板８によって第１の床板ユニット７がベッドフレーム１上でガタ付くのを確実に防止することができる。
【００３５】
上記可動床板３１は、回転軸１７に基端を固着した一対の保持部材２８の保持溝２９に幅方向の両端部をスライド可能に係合させて保持されている。そのため、上記可動床板３１を起上させてマットレス４０が屈曲され、このマットレス４０に長手方向に対して縮む方向の圧縮力が発生すると、その圧縮力の反力によって上記可動床板３１は図５（ｂ）に矢印で示す保持溝２９から抜け出る方向にスライドする。
【００３６】
可動床板３１が保持溝２９に沿ってスライドすれば、マットレス４０が屈曲されることによって生じた圧縮力が除去されるから、マットレス４０を介して可動床板３１に寄り掛った利用者の背面が圧迫されることがない。すなわち、背上げ時にマットレス４０が屈曲して圧縮力が発生しても、その圧縮力によって利用者の背面が圧迫されるのを防止することができる。
【００３７】
図６乃至図８はこの発明の第２の実施の形態を示す。なお、この第２の実施の形態において、第１の実施の形態に示された部分と対応する部分には同じ記号を付して説明を省略する。
【００３８】
すなわち、第２の実施の形態におけるベッドフレーム４１はヘッドボード３と端板４とを有し、これらの幅方向一端は側板２によって連結され、幅方向他端側の約半分は上記側板２とほぼ同じ長さ寸法に形成された箱状体４２の一端面と他端面とに連結されている。
【００３９】
上記箱状体４２はベッドフレーム４１の幅方向外側を向いた側面が開口していて、内部には長手方向に沿って複数、この実施の形態では３つの引き出し４３が出し入れ可能に収納されている。
【００４０】
上記側板２と上記箱状体４２の対向する内面には、それぞれ受け桟６が長手方向ほぼ全長にわたって設けられている。これら受け桟６には第１の床板ユニット７Ａと第２の床板ユニットを構成する固定床板８Ａ（鎖線で示す）とが係合載置されている。固定床板８Ａは箱状体４２の上面と面一になっている。第１の床板ユニット７Ａと固定床板８Ａとは第１の実施の形態とほぼ同じ構成であるが、ベッドフレーム４１を一対の側板２に代わり、一方の側板２を箱状体４２としたことで、一対の受け桟６の間隔が第１の実施の形態のベッドフレーム１よりも狭くなっている。
【００４１】
一対の受け桟６の間隔と同様、第１の床板ユニット７Ａの回転軸１７の両端部に基端が固着された一対の保持部材２８の間隔も狭くなっている。しかしながら、第１の実施の形態に示された可動床板３１に相当する可動床板３１Ａはベッドフレーム４１の幅寸法とほぼ同じ幅寸法に形成されている。それによって、可動床板３１Ａは、幅方向の一端部を一対の保持部材２８の上辺に固定して設けられており、保持部材２８の保持溝２９は利用されていない。なお、この可動床板３１Ａの幅方向他端部の起伏時に基端側となる部分は、箱状体４２の上部に当たるのを防止するために切り欠き部４３が形成されている。
【００４２】
可動床板３１Ａの幅方向他端部は、この可動床板３１Ａを倒伏させたときに箱状体４２の上面に重合する。それによって、この可動床板３１Ａの箇所は、箱状体４２の他の箇所や固定床板８Ａの上面よりも、上記可動床板３１Ａの厚さ分だけ高くなる。しかしながら、これらの上面にマットレスを載置すれば、このマットレスの下面が上記上面の高さに差異に応じて弾性的に変形するから、可動床板３１Ａが箱状体４２の上面に重合する構成であってもマットレスを載置する上でとくに問題はない。
【００４３】
可動床板３１Ａを起上させ、この可動床板３１Ａに利用者が寄り掛ると、可動床板３１Ａは幅方向の一端部だけが保持部材２８に保持された片持ち状態である。そのため、可動床板３１Ａの箱状体４２側に位置する幅方向他端部に荷重を受けると、第１の床板ユニット７Ａは受け桟６から浮き上り、幅方向に傾いてしまう。
【００４４】
そこで、図８に示すように、側板２の内面の受け桟６に係合する係合部材１２の一辺の上記受け桟６よりも下方へ延出部分にねじ孔４５を形成し、このねじ孔４５にねじ４６を螺合し、このねじ４６を受け桟６の下面に係合させる。それによって、可動床板３１Ａの幅方向他端部に荷重が加わっても、上記ねじ４６によって第１の床板ユニット７が幅方向に傾くのを防止することができる。
【００４５】
上記固定床板８Ａは、第１の実施の形態の固定床板８と同様、一端部を上記第１の床板ユニット７Ａの係合部材１２の一端部に重合させて設けられるとともに、他端部が図４に示す保持具３４と同じ機能を有する図７に示す保持具３４Ａによって長手方向にスライドしないよう保持されている。
【００４６】
上記保持具３４Ａは第１の棒材４６と第２の棒材４７とによって形成されている。すなわち、平面形状がコ字状で、両端部をＬ字状に曲成した第１の棒材４６と、平面形状がコ字状で、両端部をクランク状に曲成するとともに中間辺をＬ字状に屈曲した第２の棒材４７との両端部を並設させて固着することで形成されている。それによって、端板４の上端部に係合する係合部３７ａと、固定床板８Ａの端部を挟み込む挟持部３８ａと、マットレスの端部を保持する押え部３９ａとが形成されている。
【００４７】
このような構成のリクライニング式ベッド装置によれば、第１の床板ユニット７Ａを第１の実施の形態と同様、受け桟６に係合載置するだけの構成であっても、この第１の床板ユニット７Ａの一端部には固定床板８Ａの一端部が重合するから、起上した可動床板３１Ａに荷重が加わっても、この床板ユニット７Ａが受け桟６から浮き上るのを防止することができる。
【００４８】
なお、第２の実施の形態に示された保持具を第１の実施の形態で使用することは可能であり、逆に第１の実施の形態の保持具を第２の実施の形態で使用することもできる。
【図面の簡単な説明】
【００４９】
【図１】この発明の第１の実施の形態を示すリクライニング式ベッド装置の斜視図。
【図２】回転軸の支持構造を拡大して示す断面図。
【図３】第１の床板ユニットを構成するユニットフレームと回転軸との平面図。
【図４】保持具の斜視図。
【図５】（ａ）はベッドフレームの平面図、（ｂ）は可動床板を起上させた状態の側断面図、（ｃ）は可動床板を倒伏させた状態の側断面図。
【図６】この発明の第２の実施の形態を示すリクライニング式ベッド装置の斜視図。
【図７】保持具の斜視図。
【図８】第１の床板ユニットの係合部材が受け桟に係合した状態の断面図。
【符号の説明】
【００５０】
１…ベッドフレーム、６…受け桟（受け部）、７…第１の床板ユニット、８…固定床板（第２の床板ユニット）、１１…ユニットフレーム、１５…第１の軸受孔、１６…第１の軸受部材、１７…回転軸、１８…第２の軸受孔、１９…第２の軸受部材、２１…支軸、２４…駆動機構、２８…保持部材、２９…保持溝、３４…保持具。
【図１】
2005192736.tif 000003
【図２】
2005192736.tif 000004
【図３】
2005192736.tif 000005
【図４】
2005192736.tif 000006
【図５】
2005192736.tif 000007
【図６】
2005192736.tif 000008
【図７】
2005192736.tif 000009
【図８】
2005192736.tif 000010